【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
個人の特徴を表す生体情報を取得する取得手段と、
前記取得手段によって得られた情報から特徴量を抽出する抽出手段と、
前記抽出手段で抽出された特徴量に基づいてコードデータを生成する生成手段と、
前記生成手段で生成されたコードデータを暗号鍵として用い、当該個人のパスワードを暗号化する暗号化手段と、
前記暗号化手段で暗号化されたパスワードと当該個人を特定する識別情報とを対にして保存する記憶手段と
を備えることを特徴とする情報処理装置。
【請求項２】
入力された識別情報に基づいて、該識別情報に対応する暗号化パスワード情報を読み出す読出手段と、
個人の特徴を表す生体情報を取得する取得手段と、
前記取得手段によって得られた情報から特徴量を抽出する抽出手段と、
前記抽出手段で抽出された特徴量に基づいてコードデータを生成する生成手段と、
前記生成手段で生成されたコードデータを暗号鍵として用い、前記読出手段で読み出された暗号化パスワードを解読する解読手段と、
前記解読手段で解読してえられたデータを当該識別情報に対応するパスワードとして出力する出力手段と
を備えることを特徴とする情報処理装置。
【請求項３】
前記取得手段は、眼底画像を取得し、
前記特徴量抽出手段は前記眼底画像より血管パターンを像を得て、該血管パターンの乳頭中心を中心とした所定半径の円周と当該血管パターンにおける各血管との複数の交点の位置を表す角度情報を特徴量とし、
前記生成手段は、前記角度情報に含まれる複数の角度データを並べることでコードデータを生成する
ことを特徴とする請求項１または２に記載の情報処理装置。
【請求項４】
個人の特徴を表す生体情報を取得する取得手段と、
前記取得手段によって得られた情報から特徴量を抽出する抽出手段と、
前記抽出手段で抽出された特徴量に基づいてコードデータを生成する生成手段と、
前記生成手段で生成されたコードデータに所定の演算を施すことにより当該個人のパスワードを生成するパスワード生成手段と、
前記パスワード生成手段で生成されたパスワードを暗号化して暗号化パスワードを得る暗号化手段と、
前記暗号化手段で暗号化されたパスワードと当該個人を特定する識別情報とを対にして保存する記憶手段と
を備えることを特徴とする情報処理装置。
【請求項５】
前記パスワード生成手段で生成されたパスワードを、システムに通知する通知手段を更に備える
ことを特徴とする請求項４に記載の情報処理装置。
【請求項６】
入力された識別情報に基づいて、該識別情報に対応する暗号化パスワード情報を読み出す読出手段と、
個人の特徴を表す生体情報を取得する取得手段と、
前記取得手段によって得られた情報から特徴量を抽出する抽出手段と、
前記抽出手段で抽出された特徴量に基づいてコードデータを生成する生成手段と、
前記生成手段で生成されたパスワードを暗号化して暗号化パスワードを得る暗号化手段と、
前記暗号化主手段で得られた暗号化パスワードと前記読出手段で得られた暗号化パスワードとを比較する比較手段と、
前記比較手段による比較の結果、両暗号化パスワードが一致した場合、前記生成手段で生成されたパスワードを出力する出力手段と
を備えることを特徴とする情報処理装置。
【請求項７】
前記生成手段は、前記コードデータに対して一方向関数による演算を所定回数繰り返してパスワードを獲得し、
前記暗号化手段は、前記生成手段で得られたパスワードに対して前記一方向関数による演算を所定回数繰り返して該パスワードを暗号化する
ことを特徴とする請求項４乃至６のいずれかに記載の情報処理装置。
【請求項８】
前記取得手段は、人間の眼底像を撮影し、その画像情報を前記生体情報として取得する
ことを特徴とする請求項１乃至２または４乃至７のいずれかに記載の情報処理装置。
【請求項９】
前記取得手段は、人間の音声信号を解析し、声紋情報を前記生体情報として取得する
ことを特徴とする請求項１乃至２または４乃至７のいずれかに記載の情報処理装置。
【請求項１０】
前記取得手段は、人間の指紋パターンを前記生体情報として取得する
ことを特徴とする請求項１乃至２または４乃至７のいずれかに記載の情報処理装置。
【請求項１１】
前記取得手段は、人間のＤＮＡに含まれる遺伝子配列を前記生体情報として取得する
ことを特徴とする請求項１乃至２または４乃至７のいずれかに記載の情報処理装置。
【請求項１２】
個人の特徴を表す生体情報を取得する取得工程と、
前記取得工程によって得られた情報から特徴量を抽出する抽出工程と、
前記抽出工程で抽出された特徴量に基づいてコードデータを生成する生成工程と、
前記生成工程で生成されたコードデータを暗号鍵として用い、当該個人のパスワードを暗号化する暗号化工程と、
前記暗号化工程で暗号化されたパスワードと当該個人を特定する識別情報とを対にして記憶媒体に保存する記憶工程と
を備えることを特徴とする情報処理方法。
【請求項１３】
入力された識別情報に基づいて、該識別情報に対応する暗号化パスワード情報を記憶媒体より読み出す読出工程と、
個人の特徴を表す生体情報を取得する取得工程と、
前記取得工程によって得られた情報から特徴量を抽出する抽出工程と、
前記抽出工程で抽出された特徴量に基づいてコードデータを生成する生成工程と、
前記生成工程で生成されたコードデータを暗号鍵として用い、前記読出工程で読み出された暗号化パスワードを解読する解読工程と、
前記解読工程で解読してえられたデータを当該識別情報に対応するパスワードとして出力する出力工程と
を備えることを特徴とする情報処理方法。
【請求項１４】
個人の特徴を表す生体情報を取得する取得工程と、
前記取得工程によって得られた情報から特徴量を抽出する抽出工程と、
前記抽出工程で抽出された特徴量に基づいてコードデータを生成する生成工程と、
前記生成工程で生成されたコードデータに所定の演算を施すことにより当該個人のパスワードを生成するパスワード生成工程と、
前記パスワード生成工程で生成されたパスワードを暗号化して暗号化パスワードを得る暗号化工程と、
前記暗号化工程で暗号化されたパスワードと当該個人を特定する識別情報とを対にして記憶媒体に保存する記憶工程と
を備えることを特徴とする情報処理方法。
【請求項１５】
入力された識別情報に基づいて、該識別情報に対応する暗号化パスワード情報を読み出す読出工程と、
個人の特徴を表す生体情報を取得する取得工程と、
前記取得工程によって得られた情報から特徴量を抽出する抽出工程と、
前記抽出工程で抽出された特徴量に基づいてコードデータを生成する生成工程と、
前記生成工程で生成されたパスワードを暗号化して暗号化パスワードを得る暗号化工程と、
前記暗号化主工程で得られた暗号化パスワードと前記読出工程で得られた暗号化パスワードとを比較する比較工程と、
前記比較工程による比較の結果、両暗号化パスワードが一致した場合、前記生成工程で生成されたパスワードを出力する出力工程と
を備えることを特徴とする情報処理方法。
【請求項１６】
パスワードを保存するための処理を実現する制御プログラムを記憶する記憶媒体であって、該制御プログラムは、
個人の特徴を表す生体情報を取得する取得工程のコードと、
前記取得工程によって得られた情報から特徴量を抽出する抽出工程のコードと
前記抽出工程で抽出された特徴量に基づいてコードデータを生成する生成工程のコードと、
前記生成工程で生成されたコードデータを暗号鍵として用い、当該個人のパスワードを暗号化する暗号化工程のコードと、
前記暗号化工程で暗号化されたパスワードと当該個人を特定する識別情報とを対にして記憶媒体に保存する記憶工程のコードとを備えることを特徴とする記憶媒体。
【請求項１７】
パスワードを取得するための処理を実現する制御プログラムを記憶する記憶媒体であって、該制御プログラムは、
入力された識別情報に基づいて、該識別情報に対応する暗号化パスワード情報を記憶媒体より読み出す読出工程のコードと、
個人の特徴を表す生体情報を取得する取得工程のコードと、
前記取得工程によって得られた情報から特徴量を抽出する抽出工程のコードと、
前記抽出工程で抽出された特徴量に基づいてコードデータを生成する生成工程のコードと、
前記生成工程で生成されたコードデータを暗号鍵として用い、前記読出工程で読み出された暗号化パスワードを解読する解読工程のコードと、
前記解読工程で解読してえられたデータを当該識別情報に対応するパスワードとして出力する出力工程のコードとを備えることを特徴とする記憶媒体。
【請求項１８】
パスワードを保存するための処理を実現する制御プログラムを記憶する記憶媒体であって、該制御プログラムは、
個人の特徴を表す生体情報を取得する取得工程のコードと、
前記取得工程によって得られた情報から特徴量を抽出する抽出工程のコードと、
前記抽出工程で抽出された特徴量に基づいてコードデータを生成する生成工程のコードと、
前記生成工程で生成されたコードデータに所定の演算を施すことにより当該個人のパスワードを生成するパスワード生成工程のコードと、
前記パスワード生成工程で生成されたパスワードを暗号化して暗号化パスワードを得る暗号化工程のコードと、
前記暗号化工程で暗号化されたパスワードと当該個人を特定する識別情報とを対にして記憶媒体に保存する記憶工程のコードとを備えることを特徴とする記憶媒体。
【請求項１９】
パスワードを取得するための処理を実現する制御プログラムを記憶する記憶媒体であって、該制御プログラムは、
入力された識別情報に基づいて、該識別情報に対応する暗号化パスワード情報を読み出す読出工程のコードと、
個人の特徴を表す生体情報を取得する取得工程のコードと、
前記取得工程によって得られた情報から特徴量を抽出する抽出工程のコードと、
前記抽出工程で抽出された特徴量に基づいてコードデータを生成する生成工程のコードと、
前記生成工程で生成されたパスワードを暗号化して暗号化パスワードを得る暗号化工程のコードと、
前記暗号化主工程で得られた暗号化パスワードと前記読出工程で得られた暗号化パスワードとを比較する比較工程のコードと、
前記比較工程による比較の結果、両暗号化パスワードが一致した場合、前記生成工程で生成されたパスワードを出力する出力工程のコードとを備えることを特徴とする記憶媒体。